(57)【特許請求の範囲】
【請求項１】
ファスナーテープ１１の一側縁にファスナーエレメント１２を取り付けた一対のファスナーストリンガー１３と、ファスナーエレメント１２を噛合させ、または分離させるスライダー１８とからなり、スライダー１８における引手２０の摘み部２１の表裏面に凹凸部２１ａを形成し、引手２０に合成樹脂材を用い、引手２０に帯電防止剤を塗布または吹き付けて付着し、あるいは合成樹脂材に帯電防止剤を混練して引手２０に帯電防止機能を具備させてなることを特徴とするスライドファスナー用スライダーの引手。
【発明の詳細な説明】
【０００１】
【発明の属する技術分野】
この発明は、合成樹脂素材から構成された、衣服および身の回り品の付属品、たとえばスライドファスナー用のスライダーにおける引手について帯電防止機能を備えさせたスライダーの引手に関するものである。
【０００２】
【従来の技術】
近年、合成樹脂を素材としてスライドファスナー用のスライダーの引手に用いることが知られている。この合成樹脂製のスライダーの引手は、電気絶縁体であることから、使用時に開閉操作による摩擦や他物との接触による摩擦によって発生する静電気を放電して逃がすことができず、静電気が帯電し易い。特に冬の乾燥期には合成樹脂製のスライダーの引手に帯電した静電気の放電が十分に行われず、帯電した合成樹脂製のスライダーの引手を身に付けてドアノブ、手摺、車のドアなどの金属製品に触ったり、あるいは指輪や時計などの金属製品を身につけて帯電した合成樹脂製の引手に触ったりすると、静電気放電が発生し、人体に電気ショックを受けることがある。
【０００３】
この問題を解決する手段として、実用新案登録第３０７２６６７号公報が開示されている。開示された手段は、衣服、身の回り品、主にジャンパー、カバン、袋物などに静電気が帯電しないように形成するため、制電糸を組み合わせて作った組紐を衣服などの商品に配したスライドファスナーにおけるスライダーの引手に設けた孔に挿通して取り付け、組紐の先端を重ね合わせて固定した帯電防止紐を形成し、この組紐を配することによって衣服などにおける静電気障害を取り除くものである。
【０００４】
【発明が解決しようとする課題】
前項の制電糸を組み合わせて作った帯電防止紐をスライドファスナーに用いる手段は、帯電防止用の組紐をスライドファスナーの引手に装着固定するには、引手に孔を設けることが必要であり、引手の形態に制約を与える。また使用される組紐は耐久性に劣り、繰り返し使用することによって切れたり損傷して帯電防止の目的が達成できなくなるなど問題点がある。
【０００５】
この発明は、上述の問題点を考慮して発明されたものであり、この発明は、合成樹脂材から構成されるスライドファスナー用のスライダーの引手に帯電防止機能を簡易な手段によって具備させることができ、長期にわたって使用でき確実に静電気を放電し、人体に電気ショックを与えないスライドファスナー用のスライダーの引手を提供することが主たる目的である。
【０００６】
【課題を解決するための手段】
前記の目的を達成するため、この発明はスライドファスナー１におけるファスナーテープ１１の一側縁にファスナーエレメント１２を取り付けた左右一対のファスナーストリンガー１３と、ファスナーテープ１１に取り付けたファスナーエレメント１２を噛合させ、または分離させることができるスライダー１８とから形成し、スライダー１８における引手２０の摘み部２１の表裏面に凹凸部２１ａを形成し、引手２０に合成樹脂材を用い、この合成樹脂製の引手２０にカチオンおよび両性界面活性剤からなる帯電防止剤を塗布または吹き付けて付着し、あるいは合成樹脂材に低分子型帯電防止剤または高分子型帯電防止剤からなる帯電防止剤を混練して引手２０に帯電防止機能を具備させたスライドファスナー用スライダーの引手を主な構成とするものである。
【０００７】
【発明の実施の形態】
以下、この発明のスライドファスナー用スライダーの引手について、図面を参照しながら具体的に説明する。
【０００８】
この発明のスライドファスナー１におけるスライダー１８の引手２０に合成樹脂材を用い、この合成樹脂材の表面または内部に外部用または内部用帯電防止剤を配することによって、引手２０に帯電防止機能を具備させたものである。
【０００９】
外部用帯電防止剤としてカチオンおよび両性界面活性剤等があげられ、合成樹脂材へ塗布又は吹き付け等によって付着させて使用し、スライダー１８の引手２０の表面を被覆する。外部用帯電防止剤が合成樹脂製のスライダー１８の引手２０の表面に空気中の水分を吸着して静電気を速やかに大気中へ放電することができる。
【００１０】
内部用帯電防止剤には、低分子型帯電防止剤と高分子型帯電防止剤とがあり、合成樹脂材へ成形行程時に練り込んで使用し、スライダー１８の引手２０の表面及び内部に分散させる。内部用帯電防止剤が外部用帯電防止剤と同様に、合成樹脂製のスライダー１８の引手２０の表面に空気中の水分を吸着して静電気を放電することができる。
【００１１】
前記低分子型帯電防止剤は、低分子化合物の界面活性剤からなる帯電防止剤であり、グリセリン脂肪酸エステル、ポリオキシチレンアルキルエーテル、ポリオキシチエレンアルキルアミン等があげられ、合成樹脂製のスライダー１８の引手２０に０．２〜２質量％練り込むことにより良好な帯電防止機能を発揮できる。
【００１２】
前記高分子型帯電防止剤は、分子内に導電ユニットを組み込んだ高分子化合物からなる帯電防止剤であり、ポリエチレンオキシド、ポリエーテルエステルアミド、ポリエーテルアミドイミド等があげられ、合成樹脂製のスライダー１８の引手２０に５〜２０質量％練り込むことにより良好な帯電防止機能を発揮できる。
【００１３】
図１に示すスライドファスナー１は、ポリアミド、ポリエステルなどの合成繊維から編織成した細幅のファスナーテープ１１の一側縁にポリアミド、ポリアセタール、ポリプロピレン、ポリブチレンテレフタレートなどの合成樹脂を射出成形して多数の単一体のファスナーエレメント１２を一定の間隔を空けて配したファスナーエレメント１２列を取り付けてファスナーストリンガー１３を形成し、左右一対のファスナーストリンガー１３の端部にファスナーエレメント１２と同様の合成樹脂から成形した箱体１４、箱棒１５、蝶棒１６からなる開離嵌挿具１７を取り付け、さらに一対のファスナーストリンガー１３には、左右のファスナーエレメント１２を噛合させ、または分離するスライダー１８が装備されている。
【００１４】
スライダー１８は図２に示すように胴体１９と引手２０とから形成され、この胴体１９をポリアミド、ポリアセタール、ポリプロピレン、ポリブチレンテレフタレートなどの合成樹脂で成形するか、またはアルミニウム合金、亜鉛合金をダイキャスト成形によって形成する。またスライダー１８の胴体１９には引手２０が取り付けられ、引手２０は一端に金属環の連結部２２を設け、他端に前述の合成樹脂を用いて摘み部２１を成形するか、または連結部２２と摘み部２１とを前述の合成樹脂で一体成形する。更に、引手２０の摘み部２１の表裏面には凹凸部２１ａが形成されている。
【００１５】
なお、ファスナーエレメント１２は、ポリアミド、ポリエステルなどのモノフィラメントをコイル状に成形した線条ファスナーエレメントをファスナーテープの一側縁へ縫着等で取り付けたファスナーストリンガーであってもよい。
【００１６】
スライドファスナー１に帯電防止機能を具備させるには、製造されたスライドファスナー１の表面に外部用帯電防止剤を塗布または吹き付けて付着させることにより帯電防止機能が備えられ、または合成樹脂製のファスナーエレメント１２、ファスナーテープ１１、開離嵌挿具１７、スライダー１８の胴体１９、引手２０の摘み部２１などを成形する前の合成樹脂材に内部用帯電防止剤を練り込んで成形すると、同合成樹脂材により成形された物品あるいは部品の表面および内部に帯電防止機能が具備される。
【００１７】
帯電防止機能を備えたスライドファスナー１を衣服および身の回り品、たとえば衣服、カバン、袋物などに用いると、スライドファスナー１が開閉操作された時や、他物と接触した時に発生した静電気が、スライドファスナー１に帯電することなく大気中へ放電されるので、スライドファスナー１を触っても人体が電気ショックを受けることがない。また、スライドファスナー１に塵が付着することもない。
【００１８】
好ましくは、スライドファスナー１のスライダ−１８、特に引手２０が帯電防止機能を備えることが良い。スライドファスナー１を開閉操作するには、引手２０を指で摘んでスライダー１８を移動させるため、引手２０は、スライドファスナー１の開閉操作上、人体と必ず接触する部分である。引手２０が帯電防止機能を備えていることにより、スライドファスナー１の開閉操作時に人体が電気ショックを受けることがない。更に、引手２０は摘み部２１の表裏に凹凸部２１ａが形成されているので、引手の表面積が増加して、静電気を大気中へ放電し易くしている。
【００１９】
【発明の効果】
この発明のスライドファスナー用スライダーの引手は、以上説明したとおりの構成であり、この構成によって下記の効果を奏する。
【００２０】
この発明の請求項１記載の発明は、ファスナーテープの一側縁にファスナーエレメントを取り付けた一対のファスナーストリンガーと、ファスナーエレメントを噛合させ、または分離させるスライダーとからなり、スライダーにおける引手の摘み部の表裏面に凹凸部を形成し、引手に合成樹脂材を用い、引手に帯電防止剤を塗布または吹き付けて付着し、あるいは合成樹脂材に帯電防止剤を混練して引手に帯電防止機能を具備させたことによって、下記の効果を奏する。
【００２１】
常時合成樹脂製のスライダーの引手を付着した製品を身に付けていても電気ショックを受けることがなく、安心してスライドファスナーのスライダーの引手を使用することができ、またきわめて簡易な手段で迅速に帯電防止機能を具備させ、帯電防止剤が表面のみならず内部にも存在するので、洗浄や摩擦によって表面の帯電防止剤が除去されていても内部の帯電防止剤が表面へ移行し、永久的に帯電防止機能があり、そのうえ摘み部の表裏に凹凸部を形成しているので、摘み部の表面積が増加し放電し易く、かつ帯電防止剤が剥離または除去され難く長期にわたって帯電防止機能を良好に維持できる効果があるなど、この発明が奏する効果はきわめて顕著である。
【図面の簡単な説明】
【図１】  付属品としてのスライドファスナーの正面図である。
【図２】  同上スライドファスナー用スライダーの斜視図である。
【符号の説明】
１            スライドファスナー
１１            ファスナーテープ
１２            ファスナーエレメント
１３            ファスナーストリンガー
１８            スライダー
１９            胴体
２０            引手
２１ 摘み部
２１ａ 凹凸部
【図１】
0003779563.tif 000002
【図２】
0003779563.tif 000003